(57)【要約】      （修正有）【課題】作業効率に優れたホースリール装置を提供する。【解決手段】ホースリールと管継手セット及び調圧フィルターがあり、管継手セットの一側に、継手管が設けられ、他側に、若干の上記継手管と連通される管継手が設けられ、管継手セットが、ホースリールの一側に固定されて、管継手セットの継手管が、ホースリールのホースの内側端に接続され、或いは、上記管継手セットの代わりに、一つ又は複数の管継手の調圧フィルターを使用し、上記調圧フィルターを、ホースリールの一側に設置し、また、調圧フィルターの一側にある継手管が、ホースリールのホースの内側端に接続される。【選択図】図２
0003165300.tif 000002
【実用新案登録請求の範囲】
【請求項１】
ホースリール本体、該ホースリール本体を軸支する支持フレームからなるホースリール、管継手セット及び調圧フィルターを有するホースリール装置であって、
管継手セットの一側に、ホースリール本体に巻回されたホースに連通する継手管が設けられてあり、他側に、複数の前記継手管に連通する管継手が設けられてあり、調圧フィルターの一側に、ホースリール本体に巻回されたホースに連通する継手管が設けられてあり、他側に、前記継手管に連通する管継手が設けられてあるホースリール装置であり、
複数の管継手を有する管継手セットが、ホースリール本体の支持フレームの側面に固定され、その継手管とホースリール本体に巻回されたホースの内側端とが、連通されてなることを特徴とするホースリール装置。
【請求項２】
管継手セットを、調圧フィルターで取り替えることができ、管継手を有する調圧フィルターが、ホースリール本体を軸支する支持フレームの側面に固定されて、その継手管とホースリール本体に巻回されたホースの内側端とが連通されてなることを特徴とする請求項１に記載のホースリール装置。
【請求項３】
調圧フィルターに、一又は二以上の管継手が設置されてなることを特徴とする請求項１又は２に記載のホースリール装置。
【考案の詳細な説明】
【技術分野】
【０００１】
本考案は、ホースリール装置に関するものであり、さらに詳しくはホースリール本体及び該ホースリール本体を軸支する支持フレームとからなるホースリールの側面に、複数の、ホースリール本体に巻回されたホースに連通される管継手を有する管継手セットが設置され、前記ホースリールに、同時に、複数のエアツールを使用することができるホースリール装置に関するものである。
【背景技術】
【０００２】
既存のホースリール装置１は、図１に示すように、その管線１０の一端に圧縮機２の風管が接続され、管線１０の他端に、ツール５が接続される。これにより、使用者が、上記ツール５を使用するとき、上記ツール５に必要とする空気が供給されるが、このような  ホースリール装置１によれば、次の欠点が残されている。
【０００３】
１．圧縮機２の体積が厖大であるため、所定の位置に設置された後、移動することが難しい。例えば、使用者が、圧縮機２と離れた仕事場で、仕事をする場合、ホースリール装置１の管線１０を仕事場まで伸ばして、ツール５を接続してから、仕事をすることが必要となる。また、上記管線１０を延伸させる時、例えば直線ではない経路の場合、その経路に沿って右折や左折をしなければならなく、そのため管線１０が折り曲げられ、空気の流れがスムーズにならない恐れがある。
【０００４】
２．ホースリール装置１に、一組のツール５しか接続されないため、複数種類のエアツール５を、同時に使用できず、また、複数の作業者が、同時に作業することができない。
【０００５】
３．圧縮機２が所定の位置に設置されると、移動しないことが多いため、使用者が、圧縮機２と離れた仕事場で仕事をする場合、圧縮機の空気圧力が過剰又は不足することにより、作業に影響を与えるとき、作業者が、圧縮機２の所在箇所に出向き、空気圧力の大きさを調整する必要があり、そのため、作業者が長距離を往復することにより、時間を要し、仕事効率が低下するという問題がある。
【考案の開示】
【考案が解決しようとする課題】
【０００６】
従って、本考案の主な目的は、管継手セット又は調圧フィルターに、ともに、複数の管継手が設置され、仕事をする場合において、上記複数の管継手により、同時に、複数のツールが接続されて、同時に仕事を行うことができ、仕事効率を向上することが可能なホースリール装置を提供することにある。
【０００７】
本考案の他の目的は、仕事をしている場合において、圧縮機の空気圧力が過剰又は不足する場合、近くに設置されたホースリールの調圧フィルターで、空気圧力の大きさを調整でき、仕事場と圧縮機が設置された箇所とを往復して圧力を調整することを必要とすることなく、仕事を効率よく行なうことができ、仕事効率が向上することができるホースリール装置を提供することにある。
【０００８】
本考案の更に他の目的は、ホースリール本体に巻回されたのホースの外側端に、圧縮機が接続され、上記ホースの延伸により、ホースリールが、仕事場にまで移動され、この方式によれば、ホースが延伸される時、直線ではない経路である場合、その経路に沿って、右折や左折しなければならない。そのため、ホースが折り曲げられ、空気の流れがスムーズにならないことのないホースリール装置を提供することにある。
【課題を解決するための手段】
【０００９】
かくして、請求項１の考案によれば、
ホースリール本体、該ホースリール本体を軸支する支持フレームからなるホースリール、管継手セット及び調圧フィルターを有するホースリール装置であって、
管継手セットの一側に、ホースリール本体に巻回されたホースに連通する継手管が設けられてあり、他側に、複数の前記継手管に連通する管継手が設けられてあり、調圧フィルターの一側に、ホースリール本体に巻回されたホースに連通する継手管が設けられてあり、他側に、前記継手管に連通する管継手が設けられてあるホースリール装置であり、
複数の管継手を有する管継手セットが、ホースリール本体の支持フレームの側面に固定され、その継手管とホースリール本体に巻回されたホースの内側端とが、連通されてなることを特徴とするホースリール装置が提供される。
【００１０】
請求項２の考案によれば、管継手セットを、調圧フィルターで取り替えることができ、管継手を有する調圧フィルターが、ホースリール本体を軸支する支持フレームの側面に固定されて、その継手管とホースリール本体に巻回されたホースの内側端とが連通されてなることを特徴とする請求項１に記載のホースリール装置が提供される。
【００１１】
請求項３の考案によれば、調圧フィルターに、一又は二以上の管継手が設置されてなることを特徴とする請求項１又は２に記載のホースリール装置が提供される。
【考案を実施するための最良の形態】
【００１２】
以下、図面を参照しながら、本考案の特徴や技術内容について、詳しく説明するが、それらの図面等は、参考や説明のためであり、本考案は、それによって限定されるものではない。
【００１３】
図２と図３によれば、本考案に係るホースリール装置は、ホースリール本体３２と該ホースリール本体３２を軸支する支持フレーム３３とからなるホースリール３と、管継手セット４から構成される。ホースリール本体３２に、ホース３１が巻回されてある。管継手セット４が、ホースリール本体３２を軸支する支持フレーム３３の一方の側面に設置され、その一側に、ホースリール３のホース３１の内側端に連通する継手管４１があり、管継手セット４の他側に、複数の管継手４２があり、各管継手４２とその一側の継手管４１とが連通され、管継手セット４が、ホースリール３の支持フレーム３３の側面に固定され、その継手管４１とホース３１の内側端とが接続されて連通される。
【００１４】
本考案によれば、図３に示すように、ホースリール３のホース３１の外側端を、圧縮機２の風管に接続されてから、ホースリール３全体を持ち上げ、ホース３１の延伸により、ホースリール３を、離れた仕事場へ移動し、または、ホースリール３を移動して、ホース３１が延伸される場合、ホースリール３全体を移動するため、ホース３１が、経路に沿って右折や左折して折り曲げられることなく、ホースリール３が、所定の仕事場へ移動されると、ホースリール３の管継手セット４の管継手４２により、一組又は複数組のツール５が接続されて、仕事を行うことができる。
【００１５】
また、本考案の管継手セット４の代わりに、調圧フィルター６を利用してもよく、例えば、図４乃至図７のように、上記調圧フィルター６も、ホースリール３の側辺に固定され、その一側に、ホースリール３のホース３１の内側端に連通される継手管６１があり、他側に、一つ又は複数の管継手６２があり、上記管継手６２が、継手管６１と連通され、そのため、調圧フィルター６が、ホースリール３の一側に固定され、その継手管６１が、ホース３０の内側端に接続されて連通される。
【００１６】
本考案によれば、図５と図７で示すように、ホースリール３のホース３１の外側端に、圧縮機２の風管が接続されてから、ホースリール３全体を持ち上げ、ホース３１の延伸を利用して、ホースリール３を、離れた仕事場へ移動させることができ、ホースリール３を移動してホース３１が延伸する時、ホースリール３全体を移動するため、ホース３１が、経路に沿って右折や左折して折り曲げられることなく、ホースリール３が、所定の仕事場まで移動された後、ホースリール３の調圧フィルター６の管継手６２に、一組又は複数のツール５を接続すれば、仕事を行うことができ、また、仕事中、圧縮機の圧力が過剰又は不足した場合においても、作業者が仕事場と圧縮機２との間を往復することなく、上記調圧フィルター６で圧力の大きさを調整することができる。
【００１７】
以上は、本考案のより良い実施例を示したものであり、本考案は、それらによって限定されるものではなく、本考案に係わる考案登録請求の範囲や明細書の内容に基づいて行った等価の変更や修正は、全てが、本考案の考案登録請求の範囲内に含まれる。
【図面の簡単な説明】
【００１８】
【図１】従来のホースリールの使用状態図である。
【図２】本考案の第一実施形態によるホースリール装置の斜視図である。
【図３】本考案の第一実施形態によるホースリール装置の使用状態図である。
【図４】本考案の第二実施形態によるホースリール装置の斜視図である。
【図５】本考案の第二実施形態によるホースリール装置の使用状態図である。
【図６】本考案の第三実施形態によるホースリール装置の斜視図である。
【図７】本考案の第三実施形態によるホースリール装置の使用状態図である。
【符号の説明】
【００１９】
１  ホースリール本体
１０  管線
２  圧縮機
３  ホースリール
３１  ホース
３２  ホースリール本体
３３  支持フレーム
４  管継手セット
４１  継手管
４２  管継手
５  ツール
６  調圧フィルター
６１  継手管
６２  管継手
【図１】
0003165300.tif 000003
【図２】
0003165300.tif 000004
【図３】
0003165300.tif 000005
【図４】
0003165300.tif 000006
【図５】
0003165300.tif 000007
【図６】
0003165300.tif 000008
【図７】
0003165300.tif 000009
【手続補正書】
【提出日】平成22年10月28日(2010.10.28)
【手続補正１】
【補正対象書類名】図面
【補正対象項目名】図４
【補正方法】変更
【補正の内容】
【図４】
0003165300.tif 000010
【手続補正２】
【補正対象書類名】図面
【補正対象項目名】図６
【補正方法】変更
【補正の内容】
【図６】
0003165300.tif 000011